(57)【特許請求の範囲】
【請求項１】
荷重検出器であるロードセルの支点側に周回状の固定フレーム側を第一の連結部材を用いて連結し、前記ロードセルの重点側に周回状の可動フレーム側を第二の連結部材を用いて連結し、平面視で両フレームが互いに重ならないように、前記ロードセルを略中心に一方のフレームは内側に、他方のフレームは外側に配置し、側面視で前記周回状の固定フレームと可動フレームとが互いに重なるように配置されていることを特徴とする薄型秤。
【請求項２】
上記固定フレームを可動フレームより大きく成形し、固定フレームの内側に可動フレームが配置されていることを特徴とする請求項１記載の薄型秤。
【請求項３】
上記可動フレームには連結部により秤皿が取り付けられ、該連結部が平面視で可動フレームと前記固定フレームとの間に位置することを特徴とする請求項１又は２記載の薄型秤。
【発明の詳細な説明】
【０００１】
【発明の属する技術分野】
本発明は薄型秤に関し、特に一個のロードセルを使用し薄型でかつ軽量な秤の構造を呈する薄型秤に関する。
【０００２】
【従来の技術】
一個のロードセルを使用する秤は、荷重検出器であるロードセルの支点側に固定フレーム側を連結し、前記ロードセルの重点側に可動フレーム側を連結するとともに該可動フレームに秤皿を取り付けた構造である。
そして、薄型秤として従来は、ロードセルを配置する空間を介して「くの字」状脚を向かい合わせ接合した固定フレームと可動フレームとを上下に配置し、あるいは、略ロ字状に配した固定フレームと可動フレームとを上下に配置し、その固定フレーム側にロードセルの支点側を固定し、可動フレーム側にロードセルの重点側を固定した構造が知られている（実公平２−５３８０号公報、実公平７−３１１４３号参照）。
【０００３】
上記従来の秤は、側面視つまり上下方向ではフレームとロードセルが重なり合うことにより薄型化を図っている。
しかしながら、秤は秤量時に可動フレームが上下動するが、上記従来構造にあっては、上下に配置される両フレームが、平面視で互いに交差、すなわち上下に重なるように配置された構成であるので、可動フレームが撓みあるいは沈んだときに固定フレームへの接触を回避させるために、上下両フレーム間に所定の間隔を介在させる必要があり薄型化に限界があった。
特に、高秤量の計量を可能とするためには、両フレームの肉厚を厚くし、両フレームの間隔を大きく確保する必要があるので薄型化が困難であった。
【０００４】
【発明が解決しようとする課題】
本発明は、上記従来事情に鑑み、固定フレームと可動フレームの配置構成を改良することにより、従来に比べて秤の薄型化を達成可能にするとともに、高秤量な秤の薄型化を図ることを目的とする。
【０００５】
【課題を解決するための手段】
斯る本発明の秤は、荷重検出器であるロードセルの支点側に周回状の固定フレーム側を第一の連結部材を用いて連結し、前記ロードセルの重点側に周回状の可動フレーム側を第二の連結部材を用いて連結し、平面視で両フレームが互いに重ならないように、前記ロードセルを略中心に一方のフレームは内側に、他方のフレームは前記フレームの外側に配置し、側面視で前記周回状の固定フレームと可動フレームとが互いに重なるように配置させたことを特徴とする（請求項１）。
本発明によれば、可動フレームと固定フレームが平面視で互いに重ならないので、秤量により可動フレームが撓みあるいは沈んでも固定フレームに接触することがなく、したがって、薄型化のために両フレームを近接させることができ、さらには固定フレームと可動フレームとが、側面視で互いに重なる部分、すなわち同じ高さ位置になる部分を有するように配置すれば、さらに薄型に構成することができる。
上記固定フレーム及び可動フレームは、その何れを外側、内側に配置することもよいが、組立性や安定性等を考慮した場合には、上記固定フレームを可動フレームより大きく成形し、固定フレームの内側に可動フレームが配置されていることが好ましい。
【０００６】
上記周回状の固定フレームと可動フレームは、平面視で重ならない限り、その形状、構造等は何れであってもよい。
例えば、両フレームの構成要素は、丸パイプ、角パイプやアングル材で成形したもの、アングル材はＬ形鋼やＣ形鋼など何れでもよく、また、両フレームをアルミダイキャストやプラスチック成型により成形したものでもよい。
また、各フレームの平面形状は、配置面積を最小とするために長方形又は正方形が最適であるが、必ずしもそれに限られず、変形な四辺形状、例えば対向する二辺を半円状に湾曲させた形状や長円状（楕円形）等とすることもよい。好ましい具体的構成として、上記各フレームはそれぞれ始端と終端とを接続した周回状であり、少なくとも外側のフレームと前記ロードセルが連結部材を介して連結されているようにする。
【０００７】
上記可動フレーム上には秤皿を取り付けるが、その取り付け構造として好ましくは、可動フレームと秤皿との連結部が、平面視で可動フレームと前記固定フレームとの間に位置するようにする。
それによれば、可動フレームと秤皿との連結構造が秤の薄型化の障害になることを回避する。
【０００８】
【発明の実施の形態】
本発明の実施の形態を図面に基づいて説明すると、図面は秤量部Ａと表示操作部Ｂとにより構成され、その秤量部Ａに電源としての電池Ｃを内蔵するハンドタイプの秤を例示する。
秤量部Ａは、台枠１上に固定フレーム２およびロードセル３を配設し、その上に可動フレーム４を配設し、該可動フレーム４上に秤皿５を取り付けて構成される。
台枠１は、底板の四周囲を立ち上げた正方形の枠体形状であって秤量部Ａの底カバーを構成し、台枠１内には、前記固定フレーム２の四隅下面に固着した支持板７を載設しネジ止めすることによって、固定フレーム２を台枠１に固定状に取り付ける。また、台枠１の四隅底面には、前記固定フレーム２に接地脚６を螺合して高さ調整可能に取り付ける。
【０００９】
固定フレーム２は、鉄パイプ等の４本の金属製角パイプを溶接等により平面視でロ字形ないし長方形状、詳しくは対向する２本を他の２本より突出させて支持端部２ａ，２ａ…を設けた変形四辺形状に形成し、その各支持端部２ａに前記支持板７を溶接により固着する。すなわち、固定フレーム２は、始端と終端とを接続した周回状の長方形の四隅に、それぞれ支持板７を備えた支持端部２ａを一体的に形成したものである。
この固定フレーム２には、長方形状の長手方向一側寄りにブラケット８（第一の連結部材）を溶接により取り付け、そのブラケット８の上面側である載せ面８ａを固定フレーム２の底部に位置させて、該載せ面８ａにロードセル３の一側部すなわち支点側を載せ複数のカラー１７を介して取り付け固定する。
【００１０】
ロードセル３は偏平薄型であってそれを水平状にして配設し、その他側部すなわち重点側に可動フレーム４を取り付けるようにする。
可動フレーム４は、固定フレーム２と同様に、鉄パイプ等の金属製角パイプを溶接等により平面視でロ字形ないし長方形状、すなわち、始端と終端とを接続した周回状に形成したものである。
この可動フレーム４には、前記固定フレーム２と反対側の長手方向一側寄りにブラケット９（第二の連結部材）を溶接等により取り付け、そのブラケット９の下面側である当て面９ａを可動フレーム４の上部に位置させて、該当て面９ａを前記ロードセル３の重点側に載承し複数のカラー１８を介して取り付け固定する。
【００１１】
上記可動フレーム４と固定フレーム２は、その固定フレーム２を可動フレーム４より大きくした相似形な大小関係に形成するとともに、平面位置は、ロードセル３を中心におき、可動フレーム３を内側にし、固定フレーム２をその外側に配置させた状態とする。すなわち、可動フレーム４と固定フレーム２が平面視で互いに重ならないように配置する。
また、可動フレーム４と固定フレーム２との上下位置は、固定フレーム２の直上に可動フレーム４を可能な限り近接して配置させ、好ましくは両フレーム２，４が同じ高さ位置で重複する部分を有する、換言すれば側面視で互いに重なる部分ｈを有するように配置する（図４参照）。
【００１２】
上記可動フレーム４は、その四隅部にそれぞれ連結耳片１０を溶接して水平状に突設し、それら各連結耳片１０を利用して秤皿５を可動フレーム４に取り付けるようにする。
また、可動フレーム４には、その長辺の中央部にそれぞれゴム材からなる緩衝片１１ａ，１１ｂを被嵌して取り付けるとともに、一方の短辺中央部にも同様に緩衝片１１ｃ，１１ｄを取り付け、それら緩衝片１１ａ〜１１ｄの上に秤皿５の内面を当接状に載設する。
上記緩衝片１１ａ〜１１ｄの上面は同一の平面上に位置するようにし、秤皿５の水平度を維持するようにする。そして、緩衝片１１ａ，１１ｂ，１１ｃには、それぞれ位置決め孔１２を開孔しておく。
なお、図中の符号２７は水準器である。
【００１３】
秤皿５は、板金加工により四周囲に側板を形成して、その側板により前記台枠１の上部外周を覆うようにした正方形の枠体形状であって、この秤皿５の内面には、前記可動フレーム４の各連結耳片１０にそれぞれ対向するように連結片１３を溶接して突設する。
この各連結片１３及び各連結耳片１０は、それぞれ前記可動フレーム４と固定フレーム２との間の空間部内に配置され（図１，３参照）、秤量時において上下動する可動フレーム４が固定フレーム２に干渉しないようにする。
【００１４】
また、秤皿５の内面には、前記緩衝片１１ａ，１１ｂ，１１ｃの各位置決め孔１２に対向するように位置決めピン１４を溶接して下向きに突設する。
この秤皿５は、前記各位置決めピン１４を可動フレーム４の各位置決め孔１２に嵌め合うようにして可動フレーム４上に載せる。それにより、秤皿５の連結片１３が可動フレーム４の連結耳片１０に位置決めされて接合するので、ドライバー等を用い、台枠１に開孔した通孔１５を通してビス１６を挿し込み、前記両片１３，１０をビス止めして固定することにより、秤皿５が可動フレーム４に取り付けられる（図２，５参照）。
なお、連結片１３と連結耳片１０との間に緩衝ゴムを介在させることにより衝撃負荷を吸収させる効果をより高めることができる。
【００１５】
而して、上記秤量部Ａによれば、可動フレーム４と固定フレーム２が平面視で互いに重ならないので、可動フレーム４の高さを固定フレーム２に近接、特に図５のように、側面視で互いに重なる部分ｈを有するように構成しても、秤皿５に物品を載せた秤量時に下動する可動フレーム４が固定フレーム２に衝合することがなく、したがって、固定フレーム２及び可動フレーム４の高さを従来に比べて著しく短縮し得て秤量部Ａを薄型化できる。
また、可動フレーム２と秤皿５との連結部、すなわち可動フレーム２の連結耳片１０及び秤皿５の連結片１３を可動フレーム４と固定フレーム２との間に配置したので、秤量部Ａを前述のように薄型化する場合でも可動フレーム４及び秤皿５の下動に何ら支障を生じない。
【００１６】
上記秤量部Ａは、前記台枠１内の空間部、詳しくは固定フレーム２の長辺部の外側にそれぞれ電池ケース２０を取り付け、各電池ケース２０に複数（図面では各側３個を示す）の乾電池を直列に配列させた電池Ｃを交換可能に収納する。
また、台枠１の一側には、外方へ水平状に突出するステー２１ａ，２１ｂを取り付け、そのステー２１ａ，２１ｂに継ぎ手２２ａ，２２ｂにより支持枠管２３を回動可能、すなわち起伏動可能に取り付け、該枠管２３に表示操作部Ｂを取り付けるようにする。
【００１７】
支持枠管２３は、丸パイプを折り曲げ成形して平面視で略長方形状に形成したものであり、詳しくは、前記秤量部Ａの四周囲を囲み、取り付け側と反対側には秤量部Ａとの間に台形状の空間２４を介在させた形状とする。
この支持枠管２３は、表示操作部Ｂの支持とともに台秤を持ち運ぶ際に把持部材として使用され、また運搬時に秤量部Ａを保護する部材として作用する。
表示操作部Ｂは、継ぎ手２５を介して支持枠管２３に回動可能に取り付けて、該枠管２３の前記空間２４に配置する。
この表示操作部Ｂは、秤量部Ａの前記ロードセル３とを電気的に接続するコード３０を配線するが、その配線コード３０は、支持枠管２３内を挿通させて該枠管２３の取り付け側へ導出させ、台枠１の一側面に設けた開孔部を通して秤量部Ａ内のロードセル３に接続する。なお、台枠１の開孔部には防水シール２６を施しておく（図２参照）。
【００１８】
次に、上記配線コード３０の詳細を図６に示す。
同図において、R1〜R4はロードセル３の歪ゲージ、V1，V2はスパン調整用の抵抗である。
配線コード３０は、ロードセル用コードとして一般に使用されているものであって８本のコードを有しており、そのコード３０２及び３０６は入力線、コード３０３及び３０５は出力線、コード３０４はアース線、コード３０８はシールド線である。
また、コード３０１及び３０７はリモートセンス線である。そして、これらのコード３０１〜３０８はまとめて絶縁体であるビニール等で被覆３０９され、一本の接続用コード３０として構成され、ロードセル３にあらかじめ接続されている。
なお、リモートセンス線３０１，３０７は、ロードセル３の入力電圧をモニタする場合に用いるコードであり、通常はロードセルと電源との間が離れている場合に使用するが、その距離が短いハンドタイプの台秤の場合には使用されない。
【００１９】
そこで、この未使用のコード３０１及び３０７を利用して電源用の接続コードとする、具体的には、先ず、コード３０の適当な位置の被覆３０９を所定範囲にわたって剥ぎ取り、コード３０１〜３０８を露出させる。それらコード３０１〜３０８は、それぞれのコードの色で識別可能になっているので、その中からコード３０１と３０７を選択しカットする。次に、カットしたコード３０１，３０７の出力側（ロードセル側でない方）の端部の被覆を剥がし、これに電池Ｃの接続コード３１，３１’をハンダ付けで接続する。その後、被覆３０９の剥ぎ取った部分をシリコン樹脂等でモールド３１０して絶縁および防水処理を施し接続を完成するものである。
而して、上記配線コード３０の使用によれば、ロードセルの出力用コードの未使用配線を利用するので、表示操作部と接続するための電池接続用の配線孔を台枠に開孔する必要がなくなり、したがって製作が簡便になるばかりでなく、防水性を低下させることがない。
【００２０】
なお、上記実施の形態において固定フレーム２及び可動フレーム４は、平面視で周回状のロ字形ないし長方形状の場合を例示したが、例えば、平面視コ字形又はＣ形の大小相似形の固定フレーム及び可動フレームの組み合わせであって、その大小フレームを向かい合わせた構成とするなど、平面視で重ならない限り、その形状が限定されるものではない。
また、上述した可動フレーム４と秤皿５との取り付け構造に関し、前示実施の形態で説明した構造に限定されるものではない。
例えば、秤皿の上面を可動フレームにビス止めすることもよく、あるいは、秤皿５の内面に前述した連結片１３に代えて、ボルトを溶接により下向きに突設し、秤皿５を可動フレーム４に載せる際に、前記ボルトを可動フレーム４の連結耳片１０に挿通させ、該ボルトに台枠１の通孔１５を通して挿し込んだナットで締付けるようにしてもよい。
【００２１】
上記実施の形態では、秤量部Ａに電池を内蔵させたハンドタイプの場合を説明したが、自動車のバッテリーを電源として使用する車載タイプの場合は電池を内蔵する必要がない。また、電池内蔵タイプの場合であっても、秤量部Ａではなく、表示操作部Ｂに電池を内蔵するようにしてもよい。
また、上記実施の形態においては、表示操作部Ｂを支持枠管２３で秤量部Ａに支持する構成としたが、別体に構成してもよい。
さらに、表示操作部Ｂは、表示部と操作部とを別体に構成することもよい。そして、この場合、操作部を赤外線等を用いたリモコンタイプに構成すれば、計量作業がより行ないやすくなる。
なお、秤という場合、従来は主に重量計として用いられるが、倉庫等で在庫管理等に用いられる計数秤として構成することも可能である。
【００２２】
【発明の効果】
本発明によれば、周回状の可動フレームと固定フレームが平面視で互いに重ならないよう配置するので、秤量時における両フレームの高さ位置を考慮する必要がなくなり、したがって、両フレームを可能な限り上下方向に近接させ、秤の高さを従来に比べて著しく短縮して薄型化が達成できる。しかも、秤量を高くするためフレームを厚くしても秤の高さに影響しないようにできるので、高秤量の薄型秤を提供することができる。そして、両フレームを側面視で互いに重なる部分を有する構成とすることにより、秤の高さをさらに極減させた薄型化が達成できる。
また、上記両フレームをそれぞれ周回状としたことで、それらフレームはロードセルから離れた先端部でも捻れ難く、しかも外側フレームであってもロードセルとの連結は近距離なため比較的薄い連結部材を使用することができ、秤の薄型化の支障にならない。
また、上記固定フレームを可動フレームより大きく成形し、固定フレームの内側に可動フレームを配置する構成とすれば、固定フレームが安定した状態で設置されるとともに、ロードセルの取り付けや秤皿の取り付け等の組立てが容易かつ構造簡素となる。
【００２３】
さらに、固定フレームと可動フレームとの間の空間部を利用して可動フレームと秤皿との連結部を位置させるので、連結部の介在が秤の薄型化に何ら障害とならない。
【図面の簡単な説明】
【図１】  本発明の台秤を示す平面図である。
【図２】  図１の（２）−（２）線に沿う断面図である。
【図３】  図１の（３）−（３）線に沿う断面図である。
【図４】  固定フレームと可動フレームとの側面視配置図である。
【図５】  秤量部の分離斜視図である。
【図６】  ロードセルのコード配線図である。
【符号の説明】
Ａ：秤量部                Ｂ：表示操作部              Ｃ：電池
１：台枠                  ２：固定フレーム            ３：ロードセル
４：可動フレーム        １０：連結耳片              １３：連結片
【図１】
0004691757.tif 000002
【図２】
0004691757.tif 000003
【図３】
0004691757.tif 000004
【図４】
0004691757.tif 000005
【図５】
0004691757.tif 000006
【図６】
0004691757.tif 000007